(57)【要約】      （修正有）【課題】  切削工具の先端部及びその近傍における損傷が生じにくく、先端部の損傷の有無が一見して判断でき、工具取り付け時において指を怪我しにくい切削工具の収納用ケースを提供すること。【解決手段】  切刃が設けられた先端部９０からシャンク部９２の一部までを包囲すべく当該シャンク部９０に外嵌され且つ少なくとも先端部９０が透視可能であるキャップ１と、前記キャップ１を包囲する態様で保持し且つ前記保持状態において先端部９０に相当する部分に覗き窓Ｍが形成されている軟質樹脂製のケース主体２と、キャップ１を保持した状態のケース主体２に先端部９０及びシャンク部９２の全体を包囲すべく挿脱自在に外挿され且つ前記外挿状態において少なくとも覗き窓Ｍと対向する部分が透視可能であるカバーケース３とを具備する。【選択図】  図２
2006205305.tif 000002
【特許請求の範囲】
【請求項１】
切刃が設けられた先端部からシャンク部の一部までを包囲すべく当該シャンク部に外嵌され且つ少なくとも先端部が透視可能であるキャップと、前記キャップを包囲する態様で保持し且つ前記保持状態において先端部に相当する部分に覗き窓が形成されている軟質樹脂製のケース主体と、キャップを保持した状態のケース主体に先端部及びシャンク部の全体を包囲すべく挿脱自在に外挿され且つ前記外挿状態において少なくとも覗き窓と対向する部分が透視可能であるカバーケースとを具備することを特徴とする切削工具の収納用ケース。
【請求項２】
ケース主体は二つの挟持体から成る二つ割り構造となっており、キャップは二つの挟持体により挟持される態様でガタ付きなく保持されていることを特徴とする請求項１記載の切削工具の収納用ケース。
【請求項３】
ケース主体はキャップ及びカバーケースよりも軟質の樹脂により構成されていることを特徴とする請求項１又は２記載の切削工具の収納用ケース。
【請求項４】
キャップ又は／及びカバーケースは、透明又は半透明の樹脂により構成されていることを特徴とする請求項１乃至３のいずれかに記載の切削工具の収納用ケース。
【請求項５】
ケース主体に対してキャップは、抜け止め状態になっていることを特徴とする請求項１乃至４のいずれかに記載の切削工具の収納用ケース。
【請求項６】
先端部の直径が０．０２ｍｍ〜２ｍｍのルーマ型の切削工具を対象とする請求項乃至５のいずれかに記載の切削工具の収納用ケース。
【発明の詳細な説明】
【技術分野】
【０００１】
この発明は、切刃が設けられた先端部の径がシャンク部の径よりも小さくなった切削工具（ドリルやエンドミル等）の収納用ケース、特に先端部の径が０．０２ｍｍ〜２ｍｍにおける切削工具の収納用ケースに関するものである。
【背景技術】
【０００２】
近年、電子機器におけるプリント基板等に対して精密な孔明け加工等を行うため、直径が小さい先端部を有する切削工具が使用されるようになってきている。
【０００３】
したがって、切刃が設けられた先端部の径がシャンク部の径よりも小さくなったルーマ型の切削工具が使用されているが、将来的にはより径の細い先端部のものが要求されると考えられる。
【０００４】
ところで、従来は、ドリルやエンドミル等の切削工具はプラスチックで構成された収納用ケースに収納して運搬や保管を行っており、切削工具を使用するにあたっては前記収納用ケースから切削工具を取り出し、切刃が設けられた先端部側を指でつまんで工作機械に取り付けるようにしている。
【０００５】
上記した収納用ケースとしては、例えば、一方の端部に開口を有する内ケースと、この内ケースに外嵌される外ケースと、両側部が内ケースに挿脱可能に内嵌される切削工具保持部材とからなり、上記切削工具保持部材が、切刃を保持した状態で切削工具を挟持し得るように構成された挟持板によって形成されているものがある（例えば、特許公報１。）。この収納用ケースを使用した場合、切削工具保持部材は切削工具の切刃を挟持した状態で保たれるから、収納用ケース内において切削工具がガタつかず、その結果、刃先が損傷するという不都合が回避できる。
【０００６】
しかしながら、上記収納用ケースは一般的に比較的大径の刃部を有する切削工具に適用するものであり、先端部が極細であるルーマ型の切削工具に適用した場合には以下(1) 〜(3) の問題が生ずる。
(1) 運搬時及び保管時の問題点
運搬時や保管時の移動等において収納用ケースに振動等の衝撃力が加わると、先端部や先端部の基端部 (以下、先端部及びその近傍という）に衝撃力が集中して、これらの部分で折れてしまう危険性が高い。
(2) 工作機械への切削工具の取付時の問題点
工作機械には切刃を有する先端部やその近傍傍を指で摘んで取り付けることから、鋭利な切刃で指を怪我する危険性が高い。
(3) 切削工具９の先端部９０の確認における問題点
先端部及びその近傍が折れやすいということは先に述べたが、切刃を有する先端部の状態を確認をする場合には収納用ケースを開けなければならないという面倒さがある。
【特許文献１】特開２００１−２５９９６４
【発明の開示】
【発明が解決しようとする課題】
【０００７】
そこでこの発明では、切刃を有する先端部及びその近傍において損傷が生じにくく、ケースを開けなくても先端部の損傷の有無が一見して判断でき、工作機械への工具取り付け時において指を怪我しにくい切削工具の収納用ケースを提供することを課題とする。
【課題を解決するための手段】
【０００８】
（請求項１記載の発明）
この発明の切削工具の収納用ケースは、切刃が設けられた先端部からシャンク部の一部までを包囲すべく当該シャンク部に外嵌され且つ少なくとも先端部が透視可能であるキャップと、前記キャップを包囲する態様で保持し且つ前記保持状態において先端部に相当する部分に覗き窓が形成されている軟質樹脂製のケース主体と、キャップを保持した状態のケース主体に先端部及びシャンク部の全体を包囲すべく挿脱自在に外挿され且つ前記外挿状態において少なくとも覗き窓と対向する部分が透視可能であるカバーケースとを具備するものとしている。
（請求項２記載の発明）
この発明の切削工具の収納用ケースは、上記請求項１記載の発明に関し、ケース主体は二つの挟持体から成る二つ割り構造となっており、キャップは二つの挟持体により挟持される態様でガタ付きなく保持されている。
（請求項３記載の発明）
この発明の切削工具の収納用ケースは、上記請求項１又は２記載の発明に関し、ケース主体はキャップ及びカバーケースよりも軟質の樹脂により構成されている。
（請求項４記載の発明）
この発明の切削工具の収納用ケースは、上記請求項１乃至３のいずれかに記載の発明に関し、キャップ又は／及びカバーケースは、透明又は半透明の樹脂により構成されている。
（請求項５記載の発明）
この発明の切削工具の収納用ケースは、上記請求項１乃至４のいずれかに記載の発明に関し、ケース主体に対してキャップは、抜け止め状態になっている。
（請求項６記載の発明）
この発明の切削工具の収納用ケースは、上記請求項１乃至５のいずれかに記載の発明に関し、先端部の直径が０．０２ｍｍ〜２ｍｍのルーマ型の切削工具を対象とするものである。
【発明の効果】
【０００９】
この発明の切削工具の収納用ケースによると、切刃を有する先端部及びその近傍において損傷が生じにくく、ケースを開けなくても先端部の損傷の有無が一見して判断でき、工作機械への工具取り付け時において指を怪我しにくくなる。
【発明を実施するための最良の形態】
【００１０】
以下にこの発明の切削工具の収納用ケースを実施するための最良の形態としての実施例について詳細に説明する。
【００１１】
図１はこの発明の実施例の切削工具の収納用ケースＫの説明図、図２は前記収納用ケースＫの断面図、図３は前記収納用ケースＫの分解図、図４は前記収納用ケースＫを構成するケース主体２を二つ割りした状態にし、これにキャップ１及び切削工具９を装填した状態を示す一部断面の平面図、図５は前記二つ割りした状態のケース主体２の断面図、図６は切削工具９に外嵌させたキャップ１をケース主体２に装填保持させた状態において、前記ケース主体２にカバーケース３を外挿する直前の斜視図を示している。
（切削工具の収納用ケースＫの基本的構成について）
この収納用ケースＫは、図１や図２に示すように、切刃が設けられた先端部９０からシャンク部９２の一部までを包囲すべく当該シャンク部９２に外嵌されるキャップ１と、前記キャップ１を包囲する態様で保持するケース主体２と、キャップ１を保持した状態のケース主体２に先端部９０及びシャンク部９２の全体を包囲すべく外挿されるカバーケース３とから構成されている。
【００１２】
以下に、この収納用ケースＫを構成するキャップ１、ケース主体２及びカバーケース３、並びにこの収納用ケースＫに収納される切削工具９について詳述する。
（切削工具９の構成について）
切削工具９は、図１〜図３に示すように、ルーマ型タイプのものであり、切刃が形成された先端部９０と、前記先端部９０に繋がるテーパ部９１を有したシャンク部９２とから構成されている。ここで、上記シャンク部９２は工作機械の接続手段に接続されるため比較的大きな直径に設定してあるが、先端部９０は極めて細い直径（例えば、０．０２ｍｍ〜２ｍｍ）程度に設定してある。
（キャップ１の構成について）
キャップ１は、透明又は半透明（透視可能であればよい）であるポリプロピレン（ショア硬度５５〜６０程度）により構成されており、図２に示すように、一端部分は切削工具９のシャンク部９２におけるテーパ部９１の大径側部分及びこれに繋がるストレートの一部に倣う形状としてあり、他端部分は先端部９０及びテーパ部９１の小径側部分が遊挿される形状としてある。
【００１３】
ここで、上記切削工具９にこのキャップ１を図２に示す如く外嵌させた状態では、テーパ部９１の大径側部分及びこれに繋がるストレートの一部は当該キャップ１の内周面に密接した状態となっており、キャップ１に対して切削工具９がガタ付かないようになっている。
【００１４】
なお、キャップ１は、図２や図３に示すように、全体にわたってほぼ一定の厚みとなっており、その外周面は小径部１０、テーパ部１１、大径部１２とから形成されている。
（ケース主体２の構成について）
ケース主体２は、キャップ１を構成する樹脂よりも軟質のスチレン系エラストマー（ショア硬度４０〜６０程度）により構成されており、図３〜図５に示すように、基本的には一対の挟持体２０，２０とこれら相互を繋ぐ接続片２１とから構成されている。
【００１５】
挟持体２０は、上記したキャップ１の外周面である小径部１０、テーパ部１１、大径部１２、及びシャンク部９０のストレート部分の外周面と倣う、図３や図４に示すような小径凹部２２、テーパ状凹部２３、大径凹部２４、及び前記大径凹部２４よりも小径の凹部２５を形成してあり、また前記小径部１０を構成する壁面に切削工具９の先端部９０及びその近傍を視認するための覗き窓Ｍを形成してある。なお、上記凹部２５の内径は上記したキャップ１の大径部１２の外径よりも小さく設定してあるため、組み立て状態にあるケース本体２に対してキャップ１は抜け止め状態になる。
【００１６】
また、図３に示すように、上記挟持体２０，２０相互の合せ面のうち、一方に４つの突出片２６を、他方に４つの窪み２７を、それぞれ設けてあり、前記突出片２６を窪み２７に圧入することによりケース主体２の組み立て状態が維持されるようになっている。
【００１７】
したがって、このケース主体２内にキャップ１が適正に装着された状態では、ケース主体２に対してキャップ１は密接した状態で保持（挟持）されているので、ケース主体２に対してキャップ１がガタ付くようなことはない。
【００１８】
なお、ケース主体２は、その組み立て状態において図６に示すように、キャップ１の先端部分のみを保持する箇所の断面角形状部分の大きさを、キャップ１の大部分を保持する箇所の断面角形状部分（断面形状は長さ方向によって変化しているが、最大の角形状部分を指す。以下、保持側角形状部分という）の大きさよりも少し小さくなるように設定してあり、これらの両者間には段部２８が形成されている。
（カバーケース３の構成について）
カバーケース３は、透明又は半透明（透視可能であればよい）であり、ケース主体２を構成する樹脂よりも硬質のスチロール樹脂（ショア硬度５５〜６５程度）により構成されている。
【００１９】
前記カバーケース３は、図１や図６に示すように、一端閉塞の断面角形状の筒状に形成されており、ケース主体２への外挿時において、当該ケース主体２の内壁面は上記保持側角形状部分をガタ付きが生じないようにしっかりと保持し、挿入端は段部２８に当接するようになっている。
（この切削工具の収納用ケースＫの優れた点について）
この切削工具の収納用ケースＫは上記の構成であるから、以下の(1) 〜(5) に示す優れた機能を奏する。
(1) 運搬時及び保管時の問題点の解決について
背景技術の欄に記載した収納用ケースでは、上述した如く、運搬時や保管時の移動等において収納用ケースに振動等の衝撃力が加わると、先端部及びその近傍に衝撃力が集中して、これらの部分で折れてしまう危険性が高い。
【００２０】
これに対してこの実施例の収納用ケースＫでは、運搬時や保管時の移動等において収納用ケースＫのカバーケース３に振動等の衝撃力が加わった場合、上記軟質樹脂製のケース主体２を介してキャップ１に伝わるので当該キャップ１に保持されている切削工具９への衝撃力は緩和されている。その上、ケース主体２に対してキャップ１はガタ付きがなく、また先端部９０はキャップ１内に遊挿された状態であるので、キャップ１の内周面が先端部９０に衝突することもない。
【００２１】
したがって、この実施例の収納用ケースＫを使用した場合、切削工具９の先端部９０及びその近傍において損傷が生じにくい。
(2) 工作機械への切削工具９の取付時の問題点の解決について
背景技術の欄に記載した収納用ケースでは、上述した如く、工作機械には切刃を有する先端部やその近傍を指で摘んで取り付けることから、鋭利な切刃で指を怪我する危険性が高い。
【００２２】
これに対してこの実施例の収納用ケースＫでは、ケース主体２からカバーケース３を抜き取った後、ケース主体２から突出しているシャンク部９２を工作機械に取り付け、前記ケース主体２を引き抜くだけで、工作機械に切削工具９を取り付けることができる。なお、上記したケース主体２の引き抜き時において、キャップ１は、当該キャップ１の大径部１２の構成壁と、ケース主体２の凹部２５の構成壁との係合により、ケース主体２内に残存する。
【００２３】
したがって、作業者は切刃を有する先端部及びその近傍に触れることはなくなるから、工作機械への取り付け時における怪我の発生は抑制できる。
(3) 切削工具９の先端部９０の確認における問題点
背景技術の欄に記載した収納用ケースでは、上述した如く、先端部の状態を確認をする場合には収納用ケースを一つ一つ開けなければならないという不都合があった。
【００２４】
これに対してこの実施例の収納用ケースＫでは、当該収納用ケースを明けなくても、カバーケース３を介して覗き窓Ｍ，Ｍから先端部９０の状態を確認できる。
(4) 以上のように、この実施例の収納用ケースＫによると、切削工具９の先端部９０及びその近傍において損傷が生じにくく、先端部９０の損傷の有無が一見して判断でき、工具取り付け時において指を怪我しにくくなることが明らかである。
(5) その他、この収納用ケースＫが有しているキャップ１は以下に示すような働きもある。
【００２５】
すなわち、完成直後の切削工具９にキャップ１を外嵌することにより、転倒や他のものとの衝突があったとしても切刃を有する先端部９０及びその近傍は保護される。なお、切削工具９はキャップ１が付いたままの状態で、ケース主体２を組み付けるので、組み立て工程が増加するわけではない。
（その他）                                                                        上記実施例では、キャップ１及びカバーケース３の全体を透明又は半透明としてあるが、これに限定されることなく、覗き窓Ｍ，Ｍの対向する部分のみを透明又は半透明とするようにしてもよい。
【００２６】
また、上記実施例では、覗き窓Ｍを２つ設けたが、これに限定されることなく、覗き窓Ｍを一つとしてもよい。
【００２７】
さらに、キャップ１、ケース主体２、カバーケース３を構成する樹脂は適宜変更することができる。
【図面の簡単な説明】
【００２８】
【図１】この発明の実施例１の切削工具の収納用ケースの説明図。
【図２】前記収納用ケースの断面図。
【図３】前記収納用ケースの分解図。
【図４】前記収納用ケースを構成するケース主体を二つ割りした状態にし、これにキャップ及び切削工具を装填した状態を示す一部断面の平面図。
【図５】前記二つ割りした状態のケース主体の断面図。
【図６】切削工具に外嵌させたキャップをケース主体に内装保持させ、ケース主体にガバーケースを外挿する直前の斜視図。
【符号の説明】
【００２９】
Ｋ      （切削工具の）収納用ケース
Ｍ      覗き窓
１      キャップ
２      ケース主体
３      カバーケース
９      切削工具
２０    挟持体
２１    接続片
９０    先端部
９２    シャンク部
【図１】
2006205305.tif 000003
【図２】
2006205305.tif 000004
【図３】
2006205305.tif 000005
【図４】
2006205305.tif 000006
【図５】
2006205305.tif 000007
【図６】
2006205305.tif 000008